(57)【要約】      （修正有）【課題】十分な腰保護効果と磁気治療用効果とを併せ有する磁気治療用腰ベルトを提供する。       【解決手段】腰部を覆い得る大きさの腰当部２と、腰当部の両側に延設される腹回り部３，４とから成り、腹回り部には互いに係着し合う面テープ５，６が定着され、腰当部の外面側にはその上端から下端に達する少なくとも２枚の帯状硬質サポート材７が設置され、また、腰当部にサポート材と平行状態に多数のマグネット装入袋８が配設され、装入袋内に棒状マグネットが装入される。【選択図】図１
0003207710.tif 000002
【実用新案登録請求の範囲】
【請求項１】
腰部を覆い得る大きさの腰当部と、前記腰当部の両側に延設される腹回り部とから成り、前記腹回り部には互いに係着し合う面テープが定着され、前記腰当部の外面側にその上端から下端に達する少なくとも２枚の帯状硬質サポート材が設置され、また、前記腰当部に前記サポート材と平行状態に多数のマグネット装入袋が配設され、前記装入袋内に棒状マグネットが装入されて成る磁気治療用腰ベルト。
【請求項２】
前記棒状マグネットは、多数の磁気カプセルが連結具を介して連結されたものである、請求項１に記載の磁気治療用腰ベルト。
【請求項３】
前記腹回り部に前記サポート材と平行状態に多数のマグネット装入袋が配設され、前記装入袋内に棒状マグネットが装入されて成る、請求項１又は２に記載の磁気治療用腰ベルト。
【考案の詳細な説明】
【技術分野】
【０００１】
本考案は、磁気治療用腰ベルトに関するものであり、より詳細には、腰部を安定状態に支持して保護しつつ、磁気治療を行うことができる磁気治療用腰ベルトに関するものである。
【背景技術】
【０００２】
近時、腰痛に悩まされる人は相変わらず増加の一歩をたどっており、それに伴い、多種多様の腰保護用ベルトが出回っている。その多くは、両端部に互いに係着し合う面テープを備えた伸縮性素材製のもので、腰に回し、所望の圧に絞った後、端部の面テープ同士を係着して装着するものである。
【０００３】
そして、この種腰保護用ベルトにおいて、更に磁気治療効果を企図したものも数多く提案されている。しかしながら、従来提案されている磁気治療効果を企図した腰保護用ベルトの多くは、単に腰当接部に多数の永久磁石を配したに過ぎないものであり（特許文献１−４）、十分な磁気治療効果を期待することができないだけでなく、腰保護の点においても十分とは言えない面があった。 
【先行技術文献】
【特許文献】
【０００４】
【特許文献１】特開２００５−７１３０号公報
【特許文献２】特開２００３−７９７４７号公報
【特許文献３】特開２００２−１３６６０９号公報
【特許文献４】実用新案登録第３１４０２２３号公報
【考案の概要】
【考案が解決しようとする課題】
【０００５】
上述したように、従来より多種多様の腰保護用ベルトが出回っており、磁気治療効果を企図したものも数多く提案されているが、従来提案されている磁気治療用の腰保護用ベルトの場合は、単に腰当接部に多数の永久磁石を配したに過ぎないものであり、十分な磁気治療効果を期待することができないだけでなく、腰保護の点においても十分とは言えない面があった。
【０００６】
そこで本考案は、十分な腰保護効果と磁気治療用効果とを併せ期待し得る磁気治療用腰ベルトを提供することを課題とする。
【課題を解決するための手段】
【０００７】
上記課題を解決するための請求項１に記載の考案は、腰部を覆い得る大きさの腰当部と、前記腰当部の両側に延設される腹回り部とから成り、前記腹回り部には互いに係着し合う面テープが定着され、前記腰当部の外面側にその上端から下端に達する少なくとも２枚の帯状硬質サポート材が設置され、また、前記腰当部に前記サポート材と平行状態に多数のマグネット装入袋が配設され、前記装入袋内に棒状マグネットが装入されて成る磁気治療用腰ベルトである。
【０００８】
一実施形態においては、前記棒状マグネットは、多数の磁気カプセルを連結具を介して連結したものとされる。
【０００９】
一実施形態においては、前記腹回り部に前記サポート材と平行状態に多数のマグネット装入袋が配設され、前記装入袋内に棒状マグネットが装入される。
【考案の効果】
【００１０】
本考案に係る磁気治療用腰ベルトは、腰部を覆い得る大きさの腰当部と、前記腰当部の両側に延設される腹回り部とから成り、前記腹回り部には互いに係着し合う面テープが定着され、前記腰当部の外面側にその上端から下端に達する少なくとも２枚の帯状硬質サポート材が設置され、また、前記腰当部に前記サポート材と平行状態に多数のマグネット装入袋が配設され、前記装入袋内に棒状マグネットが装入されて成るものであるので、装着時においてサポート材により安定した密着状態が確保されて腰が保護され、且つ、その状態で多数の棒状マグネットによって十分な磁気治療効果を期待し得る効果がある。
【００１１】
請求項２に記載の考案においては、磁気カプセルの連結数を変えることで、マグネット装入袋の長さに応じての長さ調整が可能という効果がある。
【図面の簡単な説明】
【００１２】
【図１】本考案に係る磁気治療用腰ベルトの表面側及び裏面側を示す図である。
【図２】図１におけるＡ−Ａ部拡大図である。
【図３】図２におけるＢ−Ｂ線断面図である。
【図４】図２におけるＣ−Ｃ線断面図である。
【図５】棒状マグネットの構成例を示す斜視図である。
【図６】本考案に係る磁気治療用腰ベルトの使用状態図である。
【考案を実施するための形態】
【００１３】
本考案を実施するための形態について、添付図面を参照しつつ詳細に説明する。本考案に係る磁気治療用腰ベルト１は、腰部を覆い得る大きさの腰当部２と、腰当部２の両側に延設される腹回り部３，４とから成る（図１参照）。腹回り部３，４には互いに係着し合う面テープ５，６が定着されていて、腰当部２を腰に当接させて腹回り部３，４を前に回し、所望の圧に絞った後、面テープ５，６同士を係着することにより、本腰ベルト１を腰に装着する（図６参照）。
【００１４】
腰当部２の外面側には、その上端から下端に達する少なくとも２枚の帯状硬質サポート材７が設置される（図１，２参照）。サポート材７は金属製又は硬質樹脂製であって、腰当部２に形成される袋状部内に収められる。サポート材７は腰当部２に強度を付与して保形し、また、装着時に若干湾曲して腰に対する腰当部２の安定した当接状態を保持する役目を果たす。サポート材７は、通例、２枚とされるが、３枚あるいはそれ以上であってもよい。
【００１５】
腰当部２には、サポート材７と平行状態に多数のマグネット装入袋８が配設され、そこに棒状マグネット９が装入される。また、好ましくは、腹回り部３，４にもサポート材７と平行状態にマグネット装入袋８が配設され、そこに棒状マグネット９が装入される。
【００１６】
棒状マグネット９は、１本の連続する紐状マグネットであってもよいが、より良好な磁気治療効果を得るために、多数の磁気カプセル１０を連結具１１を介して連結するタイプのものを用いることが推奨される（図５参照）。磁気カプセル１０は、円筒状ケース内に永久磁石を収容したものである。このタイプの棒状マグネット９の場合は、磁気カプセル１０の連結数を変えることで、部位によって変わるマグネット装入袋８の長さに応じての長さ調整が可能となる。
【００１７】
本考案に係る腰ベルト１は、上述したように、腰当部２を腰に当接させて腹回り部３，４を前に回し、所望の圧に絞った後、面テープ５，６同士を係着することによって腰に装着する（図６参照）。その状態において、腰当部２のサポート材７が腰の湾曲に沿って湾曲することで腰に密着し、以て腰ベルト１が安定状態に保持される。かくして、装着時においてサポート材７により安定密着状態が維持されて腰が保護され、且つ、その状態で多数の棒状マグネット９によって十分な磁気治療効果が得られる。
【符号の説明】
【００１８】
１    腰ベルト
２    腰当部
３，４    腹回り部
５，６    面テープ
７    サポート材
８    マグネット装入袋
９    棒状マグネット
１０    磁気カプセル
１１    連結具
【図１】
0003207710.tif 000003
【図２】
0003207710.tif 000004
【図３】
0003207710.tif 000005
【図４】
0003207710.tif 000006
【図５】
0003207710.tif 000007
【図６】
0003207710.tif 000008